(57)【要約】【課題】ナットをステップボルトに容易に挟み込む構造にすることで、鉄塔の塔脚の通孔への取り付けを迅速に行い得ると共に、その鉄塔への昇塔時・降塔時に容易に取り外すことができる。【解決手段】棒状のステップボルト本体２の一側に、作業者が足を掛けるステップ部３を形成し、ステップボルト本体２の他側に、通孔Ｈに差し込むボルトのようにねじ山４ａを形成した差込み部４を設け、差込み部４に位置決めナット５を締め付け、かつ差込み部４に、半円弧状に分割した一対の分割ナット６を着脱自在に噛み合みあわせる抜け止め部材７を挟み込む。【選択図】図１
2009174130.tif 000002
【特許請求の範囲】
【請求項１】
鉄塔等に作業者が昇降する際、その鉄塔等を構成する塔脚（Ｔ）に開けた通孔（Ｈ）に、挿抜自在に取り付ける鉄塔等昇降用ステップボルト（１）であって、
棒状のステップボルト本体（２）の一側に、作業者が足を掛けるステップ部（３）を形成し、
前記ステップボルト本体（２）の他側に、前記通孔（Ｈ）に差し込むボルトのようにねじ山（４ａ）を形成した差込み部（４）を設け、
前記差込み部（４）に位置決めナット（５）を締め付け、
かつ該差込み部（４）に、半円弧状に分割した一対の分割ナット（６）を着脱自在に噛み合みあわせる抜け止め部材（７）を挟み込みした、ことを特徴とする鉄塔等昇降用ステップボルト。
【請求項２】
前記抜け止め部材（７）は、鋏状になる２本の部材（８）の両先端が対向するような鉤状の鉤状先端部（９）に各分割ナット（６）をそのねじ山（６ａ）が向かい合うようにそれぞれ取り付け、連結軸部（１０）で連結すると共に、両鉤状先端部（９）が閉じるように弾性部材（１１）を前記鋏状の両部材（８）に介在させたものである、ことを特徴とする請求項１の鉄塔等昇降用ステップボルト。
【請求項３】
前記抜け止め部材（７）は、一方の部材（８）の柄部（１２）に、揺動自在に棒状のロックバー（１３）を取り付け、該ロックバー（１３）の揺動端に形成した掛止部（１４）を、一方の部材（８）の柄部（１２）に設けた被掛止部（１５）に着脱自在に掛け止め、両鉤状先端部（９）が開き、両分割ナット（６）が離間しないように構成したものである、ことを特徴とする請求項１の鉄塔等昇降用ステップボルト。
【請求項４】
前記ロックバー（１３）の掛止部（１４）がスリットであり、該スリットを掛け止める被掛止部（１５）がピンである、ことを特徴とする請求項３の鉄塔等昇降用ステップボルト。
【請求項５】
前記抜け止め部材（７）に揺動自在に取り付けたロックバー（１３）が揺れないように、該ロックバー（１３）を吸着固定する磁石（１６）を、鋏状の部材（８）に取り付けた、ことを特徴とする請求項３の鉄塔等昇降用ステップボルト。
【発明の詳細な説明】
【技術分野】
【０００１】
本発明は、送電線の鉄塔等に取り付け、その鉄塔に作業者が昇降するときに使用するステップボルトに係り、特に鉄塔等の塔脚に着脱自在に取り付けることができる鉄塔等昇降用ステップボルトに関する。
【背景技術】
【０００２】
主要送電線の鉄塔には、保守点検の際に作業者が昇降するためのステップボルトが取り付けられている。しかし、地上２ｍ位までは、第三者が昇塔することを防止するために、ステップボルトを設置していない鉄塔がある。そこで、各鉄塔で作業する毎に、ステップボルトを持って行く必要があった。
【０００３】
このようなステップボルトに関する先行技術としては、特許文献１の特開平１０−２４３５３６号公報「送電線等の鉄塔等におけるステップボルト」に示すように、送電線等の鉄塔等に取り付けられるステップボルトであって、該鉄塔等側に取り付けられるねじ部等の取付部位と作業者の手掛け部或いは足載せ部となしたステップ部位とからなり、該ステップ部位の表面に対して所望の形状の突状部を多数個形成した構造のものが提案されている。
【特許文献１】特開平１０−２４３５３６号
【０００４】
このようなステップボルトは、図６と図７（ａ）、（ｂ）、（ｃ）に示すように、ステップボルト５１のボルト部５２を鉄塔の塔脚Ｔに開けた通孔Ｈに差し込み、このボルト部５２の先端から塔脚Ｔを挟むように２個のナット５３を締め付け、塔脚Ｔに強固に固定していた。
【０００５】
また、鉄塔の保守点検作業などで作業者が鉄塔に昇塔する際にステップボルト５１を持参して取り付け、作業が終了したらそれらのステップボルト５１を撤去していた。このときは、作業者はステップボルト５１を持ち運ぶときは、図６に示すように、ボルト部５２に２個のナット５３を締め付けていた。
【０００６】
そこで、鉄塔の塔脚の通孔への取り付けを迅速に行い得ると共に、その鉄塔の保守点検作業が終了したら容易に取り外すことができるステップボルトが提案されている。例えば、特許文献２の特開２００６−６３６０５公報「鉄塔等昇降用ステップボルト」に示すように、棒状のステップボルト本体の一側に、作業者が足を掛けるステップ部を形成し、ステップボルト本体の他側に、通孔に差し込む差込み部を設け、差込み部に、溝をステップボルト本体の軸方向に形成し、溝内に抜け止め用の爪を出没自在に収納し、差込み部に、爪と共に通孔を挟むための位置決め手段を、ステップボルト本体の軸方向に位置調節可能に取り付けた鉄塔等昇降用ステップボルトが提案されている。
【特許文献２】特開２００６−６３６０５公報
【発明の開示】
【発明が解決しようとする課題】
【０００７】
しかし、この従来の図示例のようなステップボルト５１の構造では、複数本のステップボルト５１を鉄塔へ取り付ける作業が煩雑であり、作業者が鉄塔に昇るためには多数本のステップボルト５１の締め付けるため、その取り付けに長い作業時間を要するものであった。更に、多数本のステップボルト５１の撤去作業も付加されるために一日の作業量が増加するという問題を有していた。
【０００８】
また、従来のステップボルトにナットを締め付ける方法では、細かいナットを指で締め付ける際に軍手又は革の手袋をしていると、このようなナットを落としやすかった。そこで、ナットの締め付け作業に手間取りやすいという問題を有していた。
【０００９】
本発明は、かかる問題点を解決するために創案されたものである。すなわち、本発明の目的は、ナットを容易に挟み込む構造にすることで、鉄塔の塔脚の通孔への取り付けを迅速に行い得ると共に、その鉄塔への昇塔時・降塔時に容易に取り外すことができる鉄塔等昇降用ステップボルトを提供することにある。
【課題を解決するための手段】
【００１０】
本発明によれば、鉄塔等に作業者が昇降する際、その鉄塔等を構成する塔脚（Ｔ）に開けた通孔（Ｈ）に、挿抜自在に取り付ける鉄塔等昇降用ステップボルト（１）であって、棒状のステップボルト本体（２）の一側に、作業者が足を掛けるステップ部（３）を形成し、前記ステップボルト本体（２）の他側に、前記通孔（Ｈ）に差し込むボルトのようにねじ山（４ａ）を形成した差込み部（４）を設け、前記差込み部（４）に位置決めナット（５）を締め付け、かつ該差込み部（４）に、半円弧状に分割した一対の分割ナット（６）を着脱自在に噛み合みあわせる抜け止め部材（７）を挟み込みした、ことを特徴とする鉄塔等昇降用ステップボルトが提供される。
【００１１】
例えば、前記抜け止め部材（７）は、鋏状になる２本の部材（８）の両先端が対向するような鉤状の鉤状先端部（９）に各分割ナット（６）をそのねじ山（６ａ）が向かい合うようにそれぞれ取り付け、連結軸部（１０）で連結すると共に、両鉤状先端部（９）が閉じるように弾性部材（１１）を前記鋏状の両部材（８）に介在させたものである。
【００１２】
また、前記抜け止め部材（７）は、一方の部材（８）の柄部（１２）に、揺動自在に棒状のロックバー（１３）を取り付け、該ロックバー（１３）の揺動端に形成した掛止部（１４）を、一方の部材（８）の柄部（１２）に設けた被掛止部（１５）に着脱自在に掛け止め、両鉤状先端部（９）が開き、両分割ナット（６）が離間しないように構成したものである。
【００１３】
前記ロックバー（１３）の掛止部（１４）がスリットであり、該スリットを掛け止める被掛止部（１５）がピンであることが好ましい。
また、前記抜け止め部材（７）に揺動自在に取り付けたロックバー（１３）が揺れないように、該ロックバー（１３）を吸着固定する磁石（１６）を、鋏状の部材（８）に取り付ける。
【発明の効果】
【００１４】
上記構成の発明では、ステップボルト（１）の差込み部（４）を塔脚（Ｔ）の通孔（Ｈ）に差し込み、従来のように塔脚（Ｔ）を挟むようにナットを締め付ける代わりに、一対の分割ナット（６）から成る抜け止め部材（７）を、差込み部（４）に挟み込む。この状態で差込み部（４）のねじ山（４ａ）と、一対の分割ナット（６）のねじ山（６ａ）とが噛み合い、ナットとしての機能を果たす。この抜け止め部材（７）と位置決めナット（５）により、ステップボルト本体（２）が塔脚（Ｔ）の通孔（Ｈ）内でのズレを防止し、ステップボルト（１）を塔脚（Ｔ）に強固に取り付けることができる。そこで、ステップボルト（１）が斜めになり、又は抜けることがないので、ステップボルト本体（２）のステップ部（３）に作業者が足を載せて全体重を掛けても、作業者は安全に保守点検作業を行うことができる。
【００１５】
ステップボルト（１）の塔脚（Ｔ）への取り付け作業は、差込み部（４）を差し込み、これに抜け止め部材（７）を挟むだけで完了するので、その取付作業時間が極端に短縮される。一方、作業者が鉄塔等の保守点検作業が終了したときには、抜け止め部材（７）を外すことにより、通孔（Ｈ）から差込み部（４）を抜き取ることができ、ステップボルト（１）を塔脚（Ｔ）から容易に取り外すことができる。
【００１６】
特に、抜け止め部材（７）は、差込み部（４）に側面から銜えるように挟むだけで、この差込み部（４）に一対の分割ナット（６）を挟み込むことができるので、従来のように差込み部（４）の軸方向からナットを締め付ける必要がなく、迅速に締め付けが完了する。しかも、取り外すときも一瞬で取り外すことできる。
【００１７】
また、抜け止め部材（７）にはロックバー（１３）を設けているので、差込み部（４）に挟みこんだ一対の分割ナット（６）がそれぞれのねじ山（４ａ，６ａ）が噛み合わないとロックバー（１３）を掛け止めることができない。これにより、差込み部（４）に取り付けた一対の分割ナット（６）の噛み合わせが不完全な状態か、完全な状態かの区別を容易に判断できる。そこで、一旦締め付けた差込み部（４）から一対の分割ナット（６）が外れないので安全性が高い。
【発明を実施するための最良の形態】
【００１８】
本発明の鉄塔等昇降用ステップボルトは、ステップボルトの差込み部に、半円弧状に分割した一対の分割ナットを着脱自在に噛み合みあわせる抜け止め部材を挟み込むことにより、このステップボルトの鉄塔の塔脚の通孔への取り付けを迅速に行うことができる。その鉄塔への昇塔時・降塔時に容易に取り外すことができるように構成したものである。
【実施例１】
【００１９】
以下、本発明の好ましい実施の形態を図面を参照して説明する。
図１は実施例１の鉄塔等昇降用ステップボルトを示す側面図である。図２は実施例１の抜け止め部材を示す正面図である。
本発明の鉄塔等昇降用ステップボルト１は、棒状の金属製のステップボルト本体２の一側に、作業者が足を掛けるステップ部３を設け、このステップボルト本体２の他側に、鉄塔等の塔脚Ｔの通孔Ｈへ差し込む差込み部４を設けたものである。
【００２０】
ステップボルト本体２は、軽量化を目的として例えばアルミニウム合金で製造したものである。従来のように鋼鉄であると、作業者が複数本を持ち運ぶときに重たく不便であったので、アルミニウム合金等の軽量金属を用いた。なお、軽量であればこのアルミニウム合金以外の材質のもので製造することは可能である。また、強度的に問題がなければ、中空のパイプ状に形成したものでもよい。
【００２１】
ステップ部３は、作業者が掛け止めた足が滑ることを防止するものであり、図示例はローレット加工したものである。これ以外に表面にゴム製被膜、合成樹脂製被膜等の滑り止めを張り付けたものでもよい。
【００２２】
差込み部４は、鉄塔等の塔脚Ｔの通孔Ｈへ差し込む部分であり、ボルトのようにねじ山４ａを形成した部分である。この差込み部４に位置決めナット５を締め付ける。更に、通孔Ｈに差し込んだ差込み部４に、半円弧状に分割した一対の分割ナット６から成る抜け止め部材７を取り付ける。例えば、この抜け止め部材７を差込み部４の側面から銜える状態で着脱自在に取り付ける。
【００２３】
抜け止め部材７は、図２に示すように、鋏状になる２本の部材８の両先端が対向するような鉤状になる鉤状先端部９に、各分割ナット６をそのねじ山６ａが向かい合うようにそれぞれ取り付け、連結軸部１０で連結したものである。この抜け止め部材７には、両鉤状先端部９が閉じるように、ねじりコイルばねのような弾性部材１１を鋏状の両部材８に介在させた。
【００２４】
また、抜け止め部材７は、一方の部材８の柄部１２に、棒状のロックバー１３を揺動自在に取り付け、このロックバー１３の揺動端に形成したスリットの掛止部１４を、一方の部材８の柄部１２に設けたピンの被掛止部１５に着脱自在に掛け止め、両鉤状先端部９が開き、両分割ナット６が離間しない構成にしたものである。この掛止部１４と被掛止部１５とは、着脱自在に掛け止めることができる構造であれば、図示例のスリットとピンに限定されない。
【００２５】
図３は本発明の鉄塔等昇降用ステップボルトを塔脚の通孔に取り付ける状態を示す説明図であり、（ａ）は取り付ける前の状態、（ｂ）は差込む部を通孔に差し込んでいる状態、（ｃ）はステップボルトを通孔に取り付けた状態、（ｄ）は取り外す状態である。図４は抜け止め部材を示す正面図であり、（ａ）は差込み部に挟み込む状態、（ｂ）は差込み部に挟み込んだ状態である。
先ず、図３（ａ）に示すように、ステップボルト１は、塔脚Ｔの通孔Ｈに差込み部４から差し込む。図３（ｂ）に示すように、通孔Ｈを通過させた差込み部４に、抜け止め部材）の柄部１２を手で握り、両分割ナット６を開き、ステップボルト１の差込み部４の側面から銜える状態で噛み合みあわせる。または、ステップボルト１の差込み部４の軸方向から挿し込むように噛み合みあわせる。
【００２６】
この抜け止め部材７は、その両分割ナット６のねじ山６ａを差込み部４のねじ山４ａに噛み合わせる必要がある。そこで、本発明では、差込み部４に挟み込んだ一対の分割ナット６がそれぞれのねじ山４ａ，６ａが噛み合わないとロックバー１３の掛け止めができないようになっている。これにより、差込み部４に挟み込んだ一対の分割ナット６が不完全な状態か、完全な状態かの区別を容易に判断できる。そこで、一旦挟み込んだ差込み部４から一対の分割ナット６が外れることがなく、安全性が高い。
【００２７】
次に、図３（ｃ）に示すように、塔脚Ｔの通孔Ｈにステップボルト１を取り付けたら、次に位置決めナット５を締め付け、この位置決めナット５と、ナットとして機能する抜け止め部材７により通孔Ｈを挟み、ステップボルト１を強固に取り付けることができる。この状態でステップボルト本体２のステップ部３に作業者が足を載せ全体重を掛けても、抜け止め部材７がステップボルト１から外れないので、ステップボルト１が塔脚Ｔから抜けずに安全に昇塔・降塔することができる。また、位置決めナット５はステップボルト本体２が塔脚Ｔの通孔Ｈ内でのズレを防止して、ステップボルト１を塔脚Ｔに強固に取り付ける。そこで、ステップボルト１が斜めになったり、抜けたりしないので、作業者は安全に昇塔・降塔することができる。
【００２８】
最後に、作業者が保守点検作業を終了したときには、ロックバー１３を外して、抜け止め部材７の柄部１２を手で握り、両分割ナット６を開き、ステップボルト１の差込み部４から外すことにより、通孔Ｈから差込み部４を抜き、ステップボルト１を塔脚Ｔから容易に取り外すことができる。従来のように締め付けていたナットを回して抜き取る必要がないので、一瞬でステップボルト１を塔脚Ｔの通孔Ｈから取り外すことができる。
【００２９】
図５は抜け止め部材の変形例を示す正面図である。
抜け止め部材７に揺動自在に取り付けたロックバー１３を吸着固定する磁石１６を、鋏状の部材８に取り付ける。このように構成することで、ロックバー１３が不用意を揺れることを防止することができる。
【００３０】
または、抜け止め部材７に揺動自在に取り付けたロックバー１３を、揺れないようにロックバー１３の揺動端に形成したスリット（掛止部１４）を着脱自在に掛け止める突起（図示していない）を鋏状の部材８に設ける。この突起がロックバー１３に嵌合して、このロックバー１３の揺れを防止することができる。
【００３１】
なお、本発明は、一対の分割ナット６をステップボルト１の差込み部４に容易に挟み込む構造にすることで、鉄塔の塔脚Ｔの通孔Ｈへステップボルト１の取り付けを迅速に行い得ると共に、その鉄塔の保守点検作業が終了したら容易に取り外すことができる構造であれば、上述した発明の実施の形態に限定されず、本発明の要旨を逸脱しない範囲で種々変更できることは勿論である。
【産業上の利用可能性】
【００３２】
本発明の鉄塔等昇降用ステップボルトは、主に送電線等の鉄塔等の塔脚に利用することができる、更にステップボルトを着脱自在に取り付けることができる場所であれば鉄塔以外の作業現場にも利用することができる。
【００３３】
更に、本発明の一対の分割ナットから成る抜け止め部材は、従来の仮止めに利用していたナットの代わりに利用することができる。例えば作業現場にボルト・ナットによる取り付ける、案内板の固定に使用するナットとして利用することができる。この抜け止め部材によれば、ナットの締め付け作業が不要になり迅速に案内板を固定するときに利用することができる。
【図面の簡単な説明】
【００３４】
【図１】実施例１の鉄塔等昇降用ステップボルトを示す側面図である。
【図２】実施例１の抜け止め部材を示す正面図である。
【図３】本発明の鉄塔等昇降用ステップボルトを塔脚の通孔に取り付ける状態を示す説明図であり、（ａ）は取り付ける前の状態、（ｂ）は差込む部を通孔に差し込んでいる状態、（ｃ）はステップボルトを通孔に取り付けた状態、（ｄ）は取り外す状態である。
【図４】抜け止め部材を示す正面図であり、（ａ）は差込み部に挟み込む状態、（ｂ）は差込み部に挟み込んだ状態である。
【図５】抜け止め部材の変形例を示す正面図である。
【図６】従来のステップボルトを示す側面図である。
【図７】従来のステップボルトを塔脚の通孔に取り付ける状態を示す説明図であり、取り付ける前の状態（ａ）、通孔に差込む部を差し込みナット締めする状態（ｂ）、ステップボルトを通孔に取り付けた状態（ｃ）である。
【符号の説明】
【００３５】
１  ステップボルト
２  ステップボルト本体
３  ステップ部
４  差込み部
４ａ  差込み部のねじ山
５  位置決めナット
６  分割ナット
６ａ  分割ナットのねじ山
７  抜け止め部材
８  鋏状の部材
９  鉤状先端部
１０  連結軸部
１１  弾性部材
１２  柄部
１３  ロックバー
１４  掛止部（スリット）
１５  被掛止部（ピン）
１６  磁石
【図１】
2009174130.tif 000003
【図２】
2009174130.tif 000004
【図３】
2009174130.tif 000005
【図４】
2009174130.tif 000006
【図５】
2009174130.tif 000007
【図６】
2009174130.tif 000008
【図７】
2009174130.tif 000009